(57)【要約】【課題】保管スペースの縮小化を図ることができ、保守点検作業の負担の軽減化を図ることができるエレベーター用足場台を得る。【解決手段】エレベーター用足場台６は、伸縮可能な足場部材１０と、足場部材１０を支持する脚１１とを有する足場台本体７と、足場部材１０に設けられている全体照明器具８とを有している。全体照明器具８は、光を出して周囲を照らす全体照明器具本体８１を有している。【選択図】図２
2017218258.tif 000002
【特許請求の範囲】
【請求項１】
伸縮可能な足場部材と、前記足場部材を支持する脚とを有する足場台本体、及び
光を出して周囲を照らす全体照明器具本体を有し、前記足場部材に設けられている全体照明器具
を備えているエレベーター用足場台。
【請求項２】
前記足場部材に設けられ、前記全体照明器具と異なる位置に配置されているスポット照明器具
を備え、
前記スポット照明器具は、光を出すスポット照明器具本体を有し、
前記スポット照明器具本体から出る光の指向性は、前記全体照明器具本体から出る光の指向性よりも高くなっている請求項１に記載のエレベーター用足場台。
【請求項３】
前記スポット照明器具本体は、遮光ケースと、前記遮光ケース内に配置されている光源とを有し、
前記遮光ケースには、前記光源から出た光を通す開口部が設けられている請求項２に記載のエレベーター用足場台。
【請求項４】
前記スポット照明器具は、前記足場部材に取り付けられ前記スポット照明器具本体を支持する一対のスポット照明器具取付部を有し、
前記スポット照明器具本体は、前記一対のスポット照明器具取付部を結ぶ軸線を中心として前記一対のスポット照明器具取付部に対して回転自在になっている請求項２又は請求項３に記載のエレベーター用足場台。
【請求項５】
前記スポット照明器具は、前記スポット照明器具本体と一体になって前記軸線を中心に回転自在な回転体である角度調整用操作部を有し、
前記角度調整用操作部の外周部は、前記スポット照明器具本体の外周部よりも滑りにくい滑り止め部になっている請求項４に記載のエレベーター用足場台。
【請求項６】
前記スポット照明器具は、前記足場部材に対して着脱可能になっている請求項２〜請求項５のいずれか一項に記載のエレベーター用足場台。
【請求項７】
前記全体照明器具は、前記足場部材に対して着脱可能になっている請求項１〜請求項６のいずれか一項に記載のエレベーター用足場台。
【発明の詳細な説明】
【技術分野】
【０００１】
この発明は、エレベーターの保守点検作業を行うときに用いられるエレベーター用足場台に関するものである。
【背景技術】
【０００２】
一般に、機械室が存在しない機械室レスエレベーターでは、エレベーターの制御盤が昇降路内に設置されている。また、機械室レスエレベーターでは、昇降路内に雨水等が流れ込んだ場合に制御盤の水没を回避するために、制御盤が最下階の乗場の床面よりも高い位置に配置されることがある。この場合、保守員は、昇降路のピット部の底面に立っても制御盤に届かず、例えば脚立等を用いなければ制御盤の保守点検作業をすることができない。
【０００３】
従来、昇降路のピット部での制御盤の保守点検作業を容易にするために、昇降路のピット部の壁面に点検作業台を回動可能に設け、制御盤の保守点検作業を行うときに、点検作業台を固定棒で水平に保持するとともに、点検作業台に乗り降りするための梯子を点検作業台に取り付けるようにしたエレベーター用保守点検装置が提案されている（例えば特許文献１参照）。
【先行技術文献】
【特許文献】
【０００４】
【特許文献１】特開２００４−２９９７９６号公報
【発明の概要】
【発明が解決しようとする課題】
【０００５】
特許文献１に示されている従来のエレベーター用保守点検装置では、点検作業台の広さが固定されているので、昇降路のピット部の状態及び保守点検作業の内容に応じて点検作業台の広さを調整することができない。また、昇降路内には、ピット部を明るくするための点検灯が設置されているが、点検灯の光が届きにくい暗い場所で保守員が作業をする場合もある。これにより、特許文献１に示されている従来のエレベーター用保守点検装置では、保守点検作業の負担が大きくなってしまう。
【０００６】
また、不使用時の梯子を保管しておく保管スペースを昇降路のピット部に確保する必要があるが、点検作業台を配置しておくスペースだけでなく、梯子の保管スペースも確保する必要があるので、エレベーター用保守点検装置の保管スペースが大きくなってしまい、昇降路のピット部のスペースを有効に活用することが難しくなってしまう。
【０００７】
この発明は、上記のような課題を解決するためになされたものであり、保管スペースの縮小化を図ることができ、保守点検作業の負担の軽減化を図ることができるエレベーター用足場台を得ることを目的とする。
【課題を解決するための手段】
【０００８】
この発明に係るエレベーター用足場台は、伸縮可能な足場部材と、足場部材を支持する脚とを有する足場台本体、及び光を出して周囲を照らす全体照明器具本体を有し、足場部材に設けられている全体照明器具を備えている。
【発明の効果】
【０００９】
この発明に係るエレベーター用足場台によれば、足場部材を短くした状態で保管することができ、保管スペースの縮小化を図ることができる。また、足場部材の長さを調整しながら足場台を設置することができ、保守員の作業スペースを広く確保することができる。さらに、全体照明器具を足場台とともに移動させることができ、保守員が足場台に乗って作業をする場合に、作業場所の周囲をより確実に明るくすることができる。従って、保守点検作業の負担の軽減化を図ることができる。
【図面の簡単な説明】
【００１０】
【図１】この発明の実施の形態１によるエレベーターの昇降路のピット部を示す側面図である。
【図２】図１の足場台を示す斜視図である。
【図３】図２の全体照明器具を示す斜視図である。
【図４】図２のスポット照明器具を示す斜視図である。
【発明を実施するための形態】
【００１１】
実施の形態１．
図１は、この発明の実施の形態１によるエレベーターの昇降路のピット部を示す側面図である。昇降路１のピット部（即ち、昇降路１の底部）の壁面１ａには、エレベーターの運転を制御する制御盤２が設けられている。制御盤２は、壁面１ａに固定されている筐体３と、筐体３の開口部を開閉する蓋４と、筐体３内に収容されている図示しない制御機器とを有している。筐体３の開口部は、筐体３の奥行き方向の前面に設けられている。筐体３は、筐体３の奥行き方向を水平にして壁面１ａに固定されている。
【００１２】
制御盤２の保守点検作業は、昇降路１のピット部で保守員５によって行われる。制御盤２の保守点検作業が行われるときには、保守員５が制御盤２にアクセスするために足場台６が用いられる。足場台６は、エレベーターの通常運転時には昇降路１のピット部の予め決められた保管スペースに保管されている。
【００１３】
足場台６は、保守員５が乗るための足場台本体７と、足場台本体７にそれぞれ設けられている全体照明器具８及びスポット照明器具９とを有している。
【００１４】
足場台本体７は、伸縮可能な足場部材１０と、足場部材１０を支持する一対の脚１１とを有している。全体照明器具８及びスポット照明器具９は、足場部材１０の互いに異なる位置に配置されている。
【００１５】
図２は、図１の足場台６を示す斜視図である。足場部材１０は、足場部材１０の長手方向に沿って伸縮可能になっている。また、足場部材１０は、互いにスライド可能に組み合わされた第１の足場構成部１２及び第２の足場構成部１３を有している。
【００１６】
第１の足場構成部１２は、互いに間隔をおいて平行に並ぶ複数の第１のアングル材１２１と、複数の第１のアングル材１２１のそれぞれの一端部が固定されている共通の第１の端部材１２２と、複数の第１のアングル材１２１のそれぞれの他端部が固定されている共通の枠である第１の外れ止め枠１２３とを有している。
【００１７】
第２の足場構成部１３は、互いに間隔をおいて平行に並ぶ複数の第２のアングル材１３１と、複数の第２のアングル材１３１のそれぞれの一端部が固定されている共通の第２の端部材１３２と、複数の第２のアングル材１３１のそれぞれの他端部が固定されている共通の枠である第２の外れ止め枠１３３とを有している。
【００１８】
各第１のアングル材１２１と各第２のアングル材１３１とは、足場部材１０の長手方向に沿ってそれぞれ配置され、かつ足場部材１０の幅方向へ交互に並べられている。第１の外れ止め枠１２３内には各第２のアングル材１３１が通され、第２の外れ止め枠１３３内には各第１のアングル材１２１が通されている。これにより、第１及び第２の足場構成部１２，１３は、足場部材１０の長手方向について互いにスライド可能になっている。
【００１９】
足場部材１０は、第１及び第２の足場構成部１２，１３が互いにスライドされることにより、足場部材１０の長手方向へ伸縮される。即ち、第１及び第２の外れ止め枠１２３，１３３が互いに近づく方向へ第１及び第２の足場構成部１２，１３が互いにスライドされることにより足場部材１０が伸び、第１及び第２の外れ止め枠１２３，１３３が互いに遠ざかる方向へ第１及び第２の足場構成部１２，１３が互いにスライドされることにより足場部材１０が縮む。
【００２０】
一方の脚１１は足場部材１０の長手方向一端部に連結され、他方の脚１１は足場部材１０の長手方向他端部に連結されている。また、一対の脚１１のそれぞれは、脚本体１４と、脚本体１４の一端部から突出している一対の引出用脚部材１５と、脚本体１４の他端部に固定され、足場部材１０の長手方向端部に連結されている一対の連結部材１６とを有している。
【００２１】
脚本体１４は、互いに平行に配置されている一対の縦部材１４１と、一対の縦部材１４１間にそれぞれ固定されている複数（この例では、２つ）のステップ１４２とを有している。一対の縦部材１４１のそれぞれは、中空のパイプである。複数のステップ１４２は、縦部材１４１の長手方向へ互いに間隔をおいて配置されている。
【００２２】
一対の引出用脚部材１５は、各縦部材１４１内に個別にスライド可能に挿入された棒状部材である。引出用脚部材１５は、縦部材１４１の長手方向一端部から突出している。脚１１は、一対の引出用脚部材１５が脚本体１４に対してスライドされることにより脚１１の長手方向へ伸縮される。即ち、脚本体１４からの引出用脚部材１５の突出量が大きくなる方向へ各引出用脚部材１５がスライドされることにより脚１１が伸び、脚本体１４からの引出用脚部材１５の突出量が小さくなる方向へ各引出用脚部材１５がスライドされることにより脚１１が縮む。
【００２３】
脚本体１４には、図示しない伸縮ロック機構が設けられている。伸縮ロック機構は、脚１１が伸びて引出用脚部材１５が脚本体１４に対して脚伸長位置に達すると脚本体１４に対する引出用脚部材１５の位置を自動的に保持し、伸縮ロック機構に対する解除操作が行われると脚伸長位置での引出用脚部材１５の保持を解除する。
【００２４】
一方の脚１１の各連結部材１６は、第１の端部材１２２に連結されているとともに、足場部材１０の幅方向に沿った軸線を中心として第１の端部材１２２に対して回動可能になっている。他方の脚１１の各連結部材１６は、第２の端部材１３２に連結されているとともに、足場部材１０の幅方向に沿った軸線を中心として第２の端部材１３２に対して回動可能になっている。これにより、一方の脚１１は第１の足場構成部１２に回動可能に連結され、他方の脚１１は第２の足場構成部１３に回動可能に連結されている。
【００２５】
一方の脚１１は、第１の足場構成部１２に対する回動により、第１の足場構成部１２に重なる倒伏位置と、第１の足場構成部１２に対して立つ起立位置との間で変位可能になっている。第１の足場構成部１２には、図示しない第１の回動ロック機構が設けられている。第１の回動ロック機構は、一方の脚１１が回動して起立位置に達すると第１の足場構成部１２に対する一方の脚１１の位置を自動的に保持し、第１の回動ロック機構に対する解除操作が行われると起立位置での一方の脚１１の保持を解除する。
【００２６】
他方の脚１１は、第２の足場構成部１３に対する回動により、第２の足場構成部１３に重なる倒伏位置と、第２の足場構成部１３に対して立つ起立位置との間で変位可能になっている。第２の足場構成部１３には、図示しない第２の回動ロック機構が設けられている。第２の回動ロック機構は、他方の脚１１が回動して起立位置に達すると第２の足場構成部１３に対する他方の脚１１の位置を自動的に保持し、第２の回動ロック機構に対する解除操作が行われると起立位置での他方の脚１１の保持を解除する。
【００２７】
足場台本体７の状態は、各脚１１が伸びて各脚１１がそれぞれの起立位置に変位されることにより展開状態になり、足場部材１０及び各脚１１のそれぞれが縮んで各脚１１がそれぞれの倒伏位置に変位されることにより折り畳み状態になる。足場台本体７の状態が折り畳み状態であるときには、一方及び他方のそれぞれの脚１１の引出用脚部材１５同士が足場部材１０の長手方向について対向している。足場台本体７の状態が展開状態であるときには、足場部材１０から長手方向外側へ広がる方向へ各脚１１が足場部材１０に対して傾斜している。
【００２８】
昇降路１のピット部には、図示しない複数のピット部内機器が設置されている。ピット部内機器としては、かご及び釣合おもりの移動を案内する複数のガイドレール、かご及び釣合おもりが落下したときの衝撃を緩和する複数の緩衝器等が挙げられる。制御盤２に対する保守点検作業が行われるときには、図１に示すように、足場台本体７の状態を展開状態にし、足場部材１０を水平にし、足場部材１０に対して各脚１１を下にした状態で、足場台６が、ピット部内機器を避けて昇降路１のピット部の床面に設置される。エレベーターの通常運転時には、折り畳み状態にされた足場台６が昇降路１のピット部の保管スペースに保管される。保管スペースは、複数のピット部内機器の設置スペースから外れた位置に設定されている。
【００２９】
全体照明器具８は足場部材１０の長手方向一端部に設けられ、スポット照明器具９は足場部材１０の長手方向他端部に設けられている。即ち、全体照明器具８が第１の端部材１２２に設けられ、スポット照明器具９が第２の端部材１３２に設けられている。この例では、全体照明器具８が第１の端部材１２２の上面に取り付けられ、スポット照明器具９が第２の端部材１３２の外側端面に取り付けられている。制御盤２に対する保守点検作業が行われるときには、スポット照明器具９を制御盤２の位置に対向させ、スポット照明器具９の位置よりも制御盤２の位置から遠い位置に全体照明器具８を配置させた状態で、足場台６が昇降路１のピット部の床面に設置される。即ち、足場部材１０の長手方向両端部のうち、保守作業時に制御盤２の位置に対向する端部にスポット照明器具９が設けられ、保守作業時に制御盤２の位置に対向しない端部に全体照明器具８が設けられている。
【００３０】
図３は、図２の全体照明器具８を示す斜視図である。全体照明器具８は、光を出して周囲を照らす全体照明器具本体８１と、第１の端部材１２２に取り付けられ、全体照明器具本体８１を支持する全体照明器具取付部８２とを有している。
【００３１】
全体照明器具本体８１は、足場部材１０の幅方向に沿って配置された筒状の透光性ケース８１１と、透光性ケース８１１内に配置されている棒状のＬＥＤ光源８１２と、ＬＥＤ光源８１２に給電する図示しないバッテリとを有している。透光性ケース８１１は、透明又は半透明のケースである。ＬＥＤ光源８１２は、複数のＬＥＤを直線状に並べた光源である。全体照明器具８の周囲は、ＬＥＤ光源８１２からの光によって照らされる。
【００３２】
全体照明器具取付部８２は、透光性ケース８１１に沿って配置されている。また、全体照明器具取付部８２は、第１の端部材１２２に対して着脱可能になっている。この例では、全体照明器具取付部８２が永久磁石を有しており、第１の端部材１２２が鉄等の磁性体で構成されている。これにより、この例では、全体照明器具取付部８２の永久磁石の磁力によって全体照明器具８が第１の端部材１２２に着脱可能に取り付けられている。
【００３３】
図４は、図２のスポット照明器具９を示す斜視図である。スポット照明器具９は、光を出すスポット照明器具本体９１と、第２の端部材１３２に取り付けられ、スポット照明器具本体９１を支持する一対のスポット照明器具取付部９２と、スポット照明器具本体９１と一体になっている一対の角度調整用操作部９３とを有している。
【００３４】
一対のスポット照明器具取付部９２は、足場部材１０の幅方向について互いに離して配置されている。また、各スポット照明器具取付部９２には、一対のスポット照明器具取付部９２同士を結ぶ軸線上に配置された回転軸９４がそれぞれ設けられている。この例では、足場部材１０の幅方向に沿った軸線上に各回転軸９４が配置されている。
【００３５】
スポット照明器具本体９１は、一対のスポット照明器具取付部９２の間に配置されている。また、スポット照明器具本体９１は、各回転軸９４を中心に回転自在になっている。これにより、スポット照明器具本体９１は、一対のスポット照明器具取付部９２同士を結ぶ軸線を中心として一対のスポット照明器具取付部９２に対して回転自在になっている。
【００３６】
スポット照明器具本体９１は、足場部材１０の幅方向に沿って配置された筒状の遮光ケース９１１と、遮光ケース９１１内に配置されている棒状のＬＥＤ光源９１２と、ＬＥＤ光源９１２に給電する図示しないバッテリとを有している。ＬＥＤ光源９１２は、複数のＬＥＤを直線状に並べた光源である。
【００３７】
遮光ケース９１１には、ＬＥＤ光源９１２から出た光を通す開口部９５が遮光ケース９１１の長手方向に沿って設けられている。ＬＥＤ光源９１２から出た光によって照らされる範囲は、遮光ケース９１１によって制限されている。これにより、スポット照明器具本体９１から出る光の指向性は、全体照明器具本体８１から出る光の指向性よりも高くなっている。即ち、スポット照明器具本体９１から出る光によって照らされる範囲は、全体照明器具本体８１から出る光によって照らされる範囲よりも狭くなっている。
【００３８】
開口部９５の位置は、一対のスポット照明器具取付部９２に対するスポット照明器具本体９１の回転角度に応じて遮光ケース９１１の周方向へ変化する。これにより、スポット照明器具本体９１から出る光の方向は、スポット照明器具本体９１の回転角度に応じて遮光ケース９１１の周方向へ変化する。従って、スポット照明器具９では、スポット照明器具本体９１の回転角度を調整することにより、スポット照明器具本体９１から出る光によって照らされる範囲の位置を調整することが可能になっている。
【００３９】
一対のスポット照明器具取付部９２は、第２の端部材１３２に対して着脱可能になっている。これにより、スポット照明器具９は、足場部材１０に対して着脱可能になっている。この例では、各スポット照明器具取付部９２のそれぞれが永久磁石を有しており、第２の端部材１３２が鉄等の磁性体で構成されている。これにより、この例では、各スポット照明器具取付部９２の永久磁石の磁力によってスポット照明器具９が第２の端部材１３２に着脱可能に取り付けられている。
【００４０】
一対の角度調整用操作部９３は、スポット照明器具本体９１と一体になって一対のスポット照明器具取付部９２同士を結ぶ軸線を中心に回転自在な円板状の回転体である。この例では、スポット照明器具本体９１の長手方向両端部に角度調整用操作部９３がそれぞれ固定されている。
【００４１】
各角度調整用操作部９３の外径は、スポット照明器具本体９１の外径よりも大きくなっている。また、各角度調整用操作部９３の外周部は、スポット照明器具本体９１の外周部よりも滑りにくい滑り止め部になっている。この例では、角度調整用操作部９３の回転方向に交差する複数の溝９３ａが各角度調整用操作部９３の外周部に形成されている。スポット照明器具取付部９２に対するスポット照明器具本体９１の回転角度は、角度調整用操作部９３の回転操作によって調整可能になっている。
【００４２】
次に、制御盤２に対する保守点検作業を昇降路１のピット部で行うときの手順について説明する。エレベーターの通常運転時には、足場台６が折り畳み状態で昇降路１のピット部の保管スペースに配置されている。保管スペースに足場台６が配置されている状態では、全体照明器具８及びスポット照明器具９のそれぞれのバッテリへの充電が商用電源から可能になっている。
【００４３】
制御盤２に対する保守点検作業を行うときには、保守員５が最下階から昇降路１のピット部に入った後、保管スペースから足場台６を取り出し、昇降路１の壁面及び各ピット部内機器に足場台６が当たらないように制御盤２の前まで足場台６を運ぶ。このとき、全体照明器具８をＯＮ状態にしてＬＥＤ光源８１２を点灯させておく。
【００４４】
この後、足場台６を折り畳み状態から展開状態にし、足場台６を昇降路１の床面に設置する。このとき、スポット照明器具９が全体照明器具８よりも制御盤２の近くになるように足場台６の向きを調整する。これにより、スポット照明器具９が制御盤２の位置に対向する。また、このとき、昇降路１の壁面及び各ピット部内機器に足場台６が当たらないように足場部材１０を伸ばす量を調整する。
【００４５】
この後、保守員５が足場台６の足場部材１０に乗り、制御盤２に対する保守点検作業を行う。制御盤２に対する保守点検作業を行うときには、全体照明器具８のＬＥＤ光源８１２を点灯させたまま、スポット照明器具９をＯＮ状態にしてＬＥＤ光源９１２を点灯させる。
【００４６】
この後、制御盤２の中の保守点検部分に光が照射されるように、角度調整用操作部９３を操作しながらスポット照明器具本体９１の回転角度を調整する。角度調整用操作部９３の操作は、保守員５の手でも足でも行うことができる。保守員５の作業中にスポット照明器具本体９１の回転角度を調整する場合には、保守員５の足で角度調整用操作部９３を操作することができ、保守員５の作業を中断しなくてもよい。
【００４７】
制御盤２に対する保守点検作業が終わると、全体照明器具８のＬＥＤ光源８１２を点灯させたまま、スポット照明器具９のＬＥＤ光源９１２を消灯させる。この後、保守員５は、足場部材１０から昇降路１の床面に降りて、足場台６を展開状態から折り畳み状態にする。
【００４８】
この後、全体照明器具８のＬＥＤ光源８１２を点灯させたまま、昇降路１の壁面及び各ピット部内機器に足場台６が当たらないように保管スペースまで足場台６を運ぶ。この後、全体照明器具８のＬＥＤ光源８１２を消灯させ、保管スペースに足場台６を保管する。
【００４９】
このような足場台６では、足場部材１０が伸縮可能になっているので、足場部材１０を短くした状態で保管することができ、足場台６を保管しておく保管スペースの縮小化を図ることができる。また、昇降路１の壁面及びピット部内機器に足場台６が当たらないように足場部材１０の長さを調整しながら、昇降路１のピット部に足場台６を設置することができる。これにより、昇降路１のピット部の空間を効率良く活用して足場台６を設置することができ、保守員５の作業スペースを広く確保することができる。さらに、全体照明器具８が足場部材１０に設けられているので、全体照明器具８を足場台６とともに移動させることができ、保守員５が足場台６に乗って作業をする場合に、作業場所の周囲をより確実に明るくすることができる。従って、保守点検作業の負担の軽減化を図ることができる。
【００５０】
また、足場部材１０には、スポット照明器具９がさらに設けられており、スポット照明器具本体９１から出る光の指向性は、全体照明器具本体８１から出る光の指向性よりも高くなっているので、全体照明器具本体８１によって作業場所の周囲を全体的に明るくすることができるとともに、スポット照明器具本体９１によって保守点検部分を集中的に照らすことができる。これにより、保守員５から保守点検部分がさらに見えやすくなり、保守点検作業の負担の軽減化をさらに図ることができる。
【００５１】
また、スポット照明器具本体９１の遮光ケース９１１には、遮光ケース９１１内のＬＥＤ光源９１２から出た光を通す開口部９５が設けられているので、スポット照明器具本体９１から出る光の指向性を開口部９５によって容易に高めることができる。
【００５２】
また、スポット照明器具本体９１は、一対のスポット照明器具取付部９２同士を結ぶ軸線を中心として回転自在になっているので、スポット照明器具本体９１から出る光の向きを、スポット照明器具本体９１の回転角度を調整することにより容易に調整することができる。これにより、光を照射する範囲が保守点検部分からずれている場合であっても、スポット照明器具本体９１の回転角度を調整することにより、光を照射する範囲を保守点検部分に容易に合わせることができる。
【００５３】
また、角度調整用操作部９３は、スポット照明器具本体９１と一体になって軸線を中心に回転自在になっており、角度調整用操作部９３の外周部は、スポット照明器具本体９１の外周部よりも滑りにくい滑り止め部になっているので、スポット照明器具本体９１の回転角度の調整を、角度調整用操作部９３の操作によって容易にかつより正確にすることができる。
【００５４】
また、スポット照明器具９は、足場部材１０に対して着脱可能になっているので、例えば、足場部材１０から取り外したスポット照明器具９を持ってスポット照明器具９を保守点検部分に近づけることにより、保守点検部分をさらに明るく照らすことができる。これにより、保守点検作業をさらに確実に行うことができ、保守点検作業の負担の軽減化をさらに図ることができる。
【００５５】
また、全体照明器具８は、足場部材１０に対して着脱可能になっているので、例えば、足場部材１０から取り外した全体照明器具８を持って全体照明器具８を保守点検部分に近づけることにより、保守点検部分の周囲をより確実に明るく照らすことができる。これにより、保守点検作業をさらに確実に行うことができ、保守点検作業の負担の軽減化をさらに図ることができる。
【００５６】
なお、上記の例では、全体照明器具８が足場部材１０に対して着脱可能になっているが、これに限定されず、足場部材１０から外れないように全体照明器具８を足場部材１０に取り付けてもよい。
【００５７】
また、上記の例では、全体照明器具８が永久磁石の磁力によって足場部材１０に着脱可能に取り付けられているが、これに限定されず、ねじ等の締結具によって全体照明器具８を足場部材１０に着脱可能に取り付けてもよい。
【００５８】
また、上記の例では、スポット照明器具９が足場部材１０に対して着脱可能になっているが、これに限定されず、足場部材１０から外れないようにスポット照明器具９を足場部材１０に取り付けてもよい。
【００５９】
また、上記の例では、スポット照明器具９が永久磁石の磁力によって足場部材１０に着脱可能に取り付けられているが、これに限定されず、ねじ等の締結具によってスポット照明器具９を足場部材１０に着脱可能に取り付けてもよい。
【００６０】
また、上記の例では、スポット照明器具本体９１が一対のスポット照明器具取付部９２に対して回転自在になっているが、スポット照明器具取付部９２にスポット照明器具本体９１を固定してもよい。このようにしても、スポット照明器具本体９１から出た光によって保守点検部分を照らすことができ、保守点検作業の負担の軽減化を図ることができる。
【００６１】
また、上記の例では、角度調整用操作部９３がスポット照明器具本体９１と一体に回転自在になっているが、スポット照明器具本体９１を直接操作することもできるので、角度調整用操作部９３はなくてもよい。
【００６２】
また、上記の例では、角度調整用操作部９３の外周部に複数の溝９３ａが設けられることにより角度調整用操作部９３の外周部が滑りにくくなっているが、これに限定されず、例えば角度調整用操作部９３の外周部の材料をゴムにすることにより角度調整用操作部９３の外周部を滑りにくくしてもよい。
【００６３】
また、上記の例では、複数の第１のアングル材１２１と複数の第２のアングル材１３１とをスライド可能に組み合わせることにより足場部材１０が伸縮可能になっているが、これに限定されず、第１及び第２の足場構成部１２，１３のそれぞれをパネルにし、第１及び第２の足場構成部１２，１３のそれぞれのパネルを互いにスライド可能に重ねて組み合わせることにより足場部材１０を伸縮可能にしてもよい。
【００６４】
また、上記の例では、ＬＥＤ光源９１２から出た光を通す透明又は半透明のカバーで遮光ケース９１１の開口部９５を塞いでもよい。このようにすれば、開口部９５から遮光ケース９１１内への異物の侵入を防止することができ、遮光ケース９１１内の機器を保護することができる。
【符号の説明】
【００６５】
６  足場台、７  足場台本体、８  全体照明器具、９  スポット照明器具、１０  足場部材、１１  脚、８１  全体照明器具本体、９１  スポット照明器具本体、９２  スポット照明器具取付部、９３  角度調整用操作部、９５  開口部、９１１  遮光ケース、９１２  ＬＥＤ光源（光源）。
【図１】
2017218258.tif 000003
【図２】
2017218258.tif 000004
【図３】
2017218258.tif 000005
【図４】
2017218258.tif 000006